(57)【要約】  複数の交流電力が発生した場合において、交流電力同士の干渉を抑制した発電装置を提供する。当該発電装置は、筐体と、筐体内で前記筐体に振動可能に保持された第１の発電体と、筐体内で筐体に振動可能に保持され、第１の発電体と電気的に独立した第２の発電体とを有する。
2018207507.tif 000002
【特許請求の範囲】
【請求項１】
筐体と、
前記筐体内で前記筐体に振動可能に保持された第１の発電体と、
前記筐体内で前記筐体に振動可能に保持され、前記第１の発電体と電気的に独立した第２の発電体と、
を有する、
発電装置。
【請求項２】
前記第１の発電体は、
前記筐体の中央付近に固定された第１の固定端部と、前記第１の固定端部と比へ前記筐体の端部に近い位置に配置された第１の自由端部とを含む第１の基板と、
前記第１の基板に形成された第１の発電部と、
を有し、
前記第２の発電体は、
前記筐体の中央付近に固定された第２の固定端部と、前記第２の固定端部と比べ前記筐体の端部に近い位置に配置された第２の自由端部とを含み、前記第１の基板とは異なる第２の基板と、
前記第２の基板に形成された第２の発電部と、
を有し、
前記第１の固定端部から前記第１の自由端部へ向かう方向を第１の方向とし、前記第２の固定端部から前記第２の自由端部へ向かう方向を第２の方向としたとき、前記第１の方向と前記第２の方向とは互いに逆であり、前記第２の固定端部は、前記第１の固定端部より第２の方向に配置されている、
請求項１記載の発電装置。
【請求項３】
前記第１の基板は、
前記第１の固定端部と前記第１の自由端部との間に配置された第１の面と、
前記第１の面の反対側で前記第１の固定端部と前記第１の自由端部との間に配置された第２の面と、
をさらに含み、
前記第２の基板は、
前記第２の固定端部と前記第２の自由端部との間に配置された第３の面と、
前記第３の面の反対側で前記第２の固定端部と前記第２の自由端部との間に配置された第４の面と、
をさらに含み、
前記第１の固定端部の一部は、前記第１の方向と前記第１の面から前記第２の面へ向かう方向とに直交する第３の方向からみた場合に、前記第２の固定端部の一部と重なって配置されている請求項２記載の発電装置。
【請求項４】
前記第１の固定端部は、
第１の突出端を含み前記第２の方向に突出した第１の突出部と、
前記第１の突出部に形成され、前記第１の発電部と電気的に接続された第１の電極部と、
を含み、
前記第２の固定端部は、
前記第１の突出端よりも前記第１の方向に位置した前記第２の突出端を含み、前記第１の方向に突出した第２の突出部と、
前記第２の突出部に形成され、前記第２の発電部と電気的に接続された第２の電極部と、
を含む、
請求項３記載の発電装置。
【請求項５】
前記第１の基板は、
前記第１の固定端部と前記第１の自由端部との間に配置された第１の面と、
前記第１の面の反対側で前記第１の固定端部と前記第１の自由端部との間に配置された第２の面と、
をさらに含み、
前記第２の基板は、
前記第２の固定端部と前記第２の自由端部との間に配置された第３の面と、
前記第３の面の反対側で前記第２の固定端部と前記第２の自由端部との間に配置された第４の面と、
をさらに含み、
前記第１の発電体は、前記第１の面および前記第２の面に形成されており、
前記第２の発電体は、前記第３の面および前記第４の面に形成されている、
請求項２記載の発電装置。
【請求項６】
前記第１の発電部と電気的に接続された第１の整流回路と、前記第２の発電部と電気的に接続された第２の整流回路とを有し、前記第１の整流回路を通過した電力と前記第２の整流回路を通過した電力とを合成する整流部をさらに備えた、請求項２記載の発電装置。
【請求項７】
前記筐体は、前記第１の固定端部と前記第２の固定端部とを固定する固定部を有する請求項２記載の発電装置。
【請求項８】
前記固定部は、
前記第１の固定端部を固定する第１の固定部と、
前記第１の固定部との間に間隙を設けて配置され、前記第２の固定端部を固定する第２の固定部と、
を有し、
前記第１の自由端部と前記第２の自由端部とを前記第２の方向に結んだ線分の中点は、前記間隙に位置する、
請求項７記載の発電装置。
【請求項９】
前記筐体は、前記第１の方向と直交し前記第１の面に平行な方向である第３の方向の幅よりも前記第１の方向の幅が広い請求項２記載の発電装置。
【請求項１０】
装着物と、
前記装着物に収容され、前記装着物に加わった外力に応じた交流電力を出力する請求項９記載の発電装置と、
前記発電装置と電気的に接続された制御部と、
を備えた、
センサ内蔵体。
【請求項１１】
前記制御部と前記発電装置との間に、前記交流電力を直流電力へ変換する整流部をさらに備えた、請求項１０記載のセンサ内蔵体。
【請求項１２】
前記装着物は、靴であり、
前記発電装置は、前記靴の土踏まず近傍に収容された、
請求項１１記載のセンサ内蔵体。
【請求項１３】
前記第１の固定端部と前記第２の固定端部との間に、前記第１の固定端部と前記第２の固定端部とを絶縁する絶縁層をさらに備える、
請求項２記載の発電装置。
【請求項１４】
前記第１の基板は、
前記第１の固定端部と前記第１の自由端部との間に配置された第１の面と、
前記第１の面の反対側で前記第１の固定端部と前記第１の自由端部との間に配置された第２の面と、
をさらに含み、
前記第２の基板は、
前記第２の固定端部と前記第２の自由端部との間に配置された第３の面と、
前記第３の面の反対側で前記第２の固定端部と前記第２の自由端部との間に配置された第４の面と、
をさらに含み、
前記第１の固定端部の一部は、前記第１の面から前記第２の面へ向かう方向からみた場合に、前記第２の固定端部の一部と重なって配置されている請求項１３記載の発電装置。
【発明の詳細な説明】
【技術分野】
【０００１】
本開示は、振動することで交流電力を発生させる発電装置に関する。
【背景技術】
【０００２】
従来の発電装置は、筐体と、発電部とを有する。発電部は、筐体に配置されている。発電部は、基板と、発電体と、電極とを有する。基板は、中央を保持されている。保持された箇所から第１の方向に位置する第１の端部と、保持された箇所から第２の方向に位置する第２の端部とを有する。第１の方向は、第２の方向と逆向きである。発電体は、第１の端部から第２の端部にかけて形成されている。電極は、第１の端部から第２の端部にかけて形成されており発電体と電気的に接続されている。【０００３】
そして、従来の発電装置は、第１の端部と第２の端部とを振動させることで発電体に振動をくわえて発電する。そして、発電体の発生した交流電力は、電極から取り出される。【０００４】
なお、この出願の発明に関連する先行技術文献情報としては、例えば、特許文献１が知られている。
【先行技術文献】
【特許文献】
【０００５】
【特許文献１】特開２００６−１５８１１３号公報
【発明の概要】
【０００６】
従来の発電装置は、電極が第１の端部から第２の端部にかけて形成されている。そのため、従来の発電装置は、第１の端部の振動と第２の端部の振動との間に位相差が生じた場合に、第１の端部で発生した交流電力と第２の端部で発生した交流電力との干渉が生じてしまう。
【０００７】
そこで本発明は、この問題を解決したもので、複数の交流電力が発生した場合において、交流電力同士の干渉を抑制した発電装置の提供を目的としたものである。
【０００８】
本開示にかかる発明は、筐体と、第１の発電体と、第２の発電体とを有する。第１の発電体は、筐体内に配置されている。そして、筐体に振動可能に保持されている。第２の発電体は、筐体内に配置されている。そして、筐体に振動可能に保持されている。ここで、第１の発電体と第２の発電体とは電気的に独立している。
【０００９】
本開示にかかる発明は、第１の発電体と第２の発電体とを電気的に独立するように構成している。そのため、本開示にかかる発明は、第１の発電体の発生した交流電力と、第２の発電体の発生した交流電力との干渉を抑制した発電装置を提供できる。
【図面の簡単な説明】
【００１０】
【図１】本開示にかかる発電装置の、側面視における模式断面図
【図２】本開示にかかるセンサ内蔵体の、上面視における模式断面図
【発明を実施するための形態】
【００１１】
（実施の形態１）
図１および図２を参照して発電装置１００の概要を説明する。図１は、側面視における発電装置の模式断面図であり、発電装置の後方から眺めた断面図である。図２は、上面視におけるセンサ内蔵体の模式断面図である。
【００１２】
発電装置１００は、筐体１０と、第１の発電体２０と、第２の発電体３０とを有する。第１の発電体２０は、筐体１０内に配置されている。また、第１の発電体２０は、振動可能に筐体１０に保持されている。
【００１３】
第２の発電体３０は、筐体１０内で配置されている。また、第２の発電体３０は、振動可能に筐体１０に保持されている。そして、第２の発電体３０は、第１の発電体２０と電気的に独立している。
【００１４】
「電気的に独立」とは、第１の発電体２０の発生した交流電力と第２の発電体３０の発生した交流電力とが互いに混じり合わない（合成されない）状態を意味する。「電気的に独立」している構成として、たとえば、第１の発電体２０の発生した電力を取り出す電極部と第２の発電体３０の発生した電力を取りだす電極部とが別体に形成されている構成や、第１の発電体２０と第２の発電体３０とが電気的に絶縁されている構成が挙げられる。また、第１の発電体と第２の発電体とが、電気的に繋がっている場合において「電気的に独立」している構成として、たとえば、第１の発電体２０の発生した交流電力と第２の発電体３０の発生した電力とが別々に整流された後に合成される構成などが挙げられる。
【００１５】
発電装置１００は、たとえば衝撃・振動・音・風などの外力を加えられることによって、第１の発電体２０や第２の発電体３０を振動させる。第１の発電体２０は、振動することで交流電力を発生させる。第２の発電体３０は、振動することで交流電力を発生させる。言い換えれば、第１の発電体２０と第２の発電体３０とは別々に発電して交流電力を発生させている。
【００１６】
ここで、発電装置１００は、第１の発電体２０と第２の発電体３０とを電気的に独立させた構成となっている。そのため、第１の発電体２０の発生した交流電力は、第２の発電体３０の発生した交流電力と交じり合わない。すなわち、第１の発電体２０の発生した交流電力は、第２の発電体３０の発生した交流電力に影響を及ぼさない。よって、発電装置１００は、第１の発電体２０の発生した交流電力と第２の発電体３０の発生した交流電力との干渉を抑制できる。
【００１７】
以下、より詳細に発電装置１００について説明する。
【００１８】
発電装置１００は、筐体１０と、第１の発電体２０と、第２の発電体３０とを有する。筐体１０は、第１の発電体２０と第２の発電体３０と電気的に独立している。より好ましくは、筐体１０は、絶縁性材料で形成され、電気的に絶縁されているとよい。
【００１９】
第１の発電体２０は、第１の基板２１と、第１の発電部２２とを有する。第１の基板２１は、第１の固定端部２１Ａと、第１の自由端部２１Ｂとを含む。第１の固定端部２１Ａは、筐体１０の中央部付近（図１および図２において筐体１０の長辺の中央付近）に固定されている。第１の自由端部２１Ｂは、第１の固定端部２１Ａと比べ筐体１０の端部に近い位置に配置されている。第１の自由端部２１Ｂは、第１の固定端部２１Ａと機械的に結合している。そのため、第１の自由端部２１Ｂは、振動可能である。以降の説明を簡易とするために、第１の固定端部２１Ａから第１の自由端部２１Ｂへ向かう方向を第１の方向とよび、図１にならい第１の方向を「左方向」とする。
【００２０】
さらに第１の基板２１は、第１の面２１Ｃと第２の面２１Ｄとを有する。第１の面２１Ｃは、第２の面２１Ｄの反対に配置された面である。たとえば、第１の面２１Ｃが表面である場合、第２の面２１Ｄは裏面である。また、たとえば、第１の面２１Ｃが裏面である場合、第２の面２１Ｄは表面である。
【００２１】
第１の面２１Ｃは、第１の固定端部２１Ａから第１の自由端部２１Ｂとの間に配置されている。第２の面２１Ｄは、第１の固定端部２１Ａから第１の自由端部２１Ｂとの間に配置されている。
【００２２】
そして、第１の発電部２２は、第１の基板２１に形成されている。第１の発電部２２は、第１の面２１Ｃに形成されていてもよく、第２の面２１Ｄに形成されていてもよい。また、第１の発電部２２は、第１の面２１Ｃと第２の面２１Ｄとに形成されていてもよい。すなわち、第１の発電部２２は、第１の基板２１の振動によって発電できるよう第１の基板２１に形成されていればよい。
【００２３】
第１の発電部２２は、圧電層を電極で挟むように積層されている。言い換えれば、基板から離れる順に、基板に形成された電極と、圧電層と、圧電層に形成された電極となるように配置されている。
【００２４】
なお、第１の面２１Ｃと第２の面２１Ｄとに第１の発電部を形成する場合、第１の面２１Ｃに形成されている圧電層の分極の極性が、第２の面２１Ｄに形成されている圧電層の分極の極性と逆向きになるように形成するとよい。
【００２５】
なお、第１の面２１Ｃと第２の面２１Ｄとに第１の発電部２２を形成することにより、第１の基板２１の単位面積当たりの電圧を増加できる。
【００２６】
なお、第１の面２１Ｃと第２の面２１Ｄとに第１の発電部を形成する場合、第１の面２１Ｃに形成されている圧電層の分極の極性が、第２の面２１Ｄに形成されている圧電層の分極の極性と逆向きになるように形成するとよい。このように第１の発電部２２を形成することで、第１の面２１Ｃで発生した交流電力と第１の面２１Ｃで発生した交流電力とが干渉することを抑制できる。
【００２７】
第２の発電体３０は、第２の基板３１と、第２の発電部３２とを有する。第２の基板３１と第１の基板２１とは、別体に形成されている。第２の基板３１は、第２の固定端部３１Ａと、第２の自由端部３１Ｂとを含む。
【００２８】
第２の固定端部３１Ａは、筐体１０の中央部付近（図１および図２において筐体１０の長辺の中央付近）に固定されている。第２の自由端部３１Ｂは、第２の固定端部３１Ａと比べ筐体１０の端部に近い位置に配置されている。第２の自由端部３１Ｂは、第２の固定端部３１Ａと機械的に結合している。そして、第２の自由端部３１Ｂは、振動可能である。なお、第２の固定端部３１Ａから第２の自由端部３１Ｂへ向かう方向は、第１の方向とは逆方向である。以降の説明を簡易とするために第２の固定端部３１Ａから第２の自由端部３１Ｂへ向かう方向を第２の方向とよび、図１にならい第２の方向を「右方向」とする。なお、第２の固定端部３１Ａは、第１の固定端部２１Ａの右方向に配置されている。
【００２９】
さらに第２の基板３１は、第３の面３１Ｃと第４の面３１Ｄとを有する。第３の面３１Ｃは、第４の面３１Ｄの反対に配置された面である。たとえば、第３の面３１Ｃが表面である場合、第４の面３１Ｄは裏面である。また、たとえば、第３の面３１Ｃが裏面である場合、第４の面３１Ｄは表面である。
【００３０】
第３の面３１Ｃは、第２の固定端部３１Ａから第２の自由端部３１Ｂとの間に配置されている。第４の面３１Ｄは、第２の固定端部３１Ａから第２の自由端部３１Ｂとの間に配置されている。
【００３１】
第２の発電部３２は、第２の基板３１に形成されている。第２の発電部３２は、第３の面３１Ｃに形成されていてもよく、第４の面３１Ｄに形成されていてもよい。また、第２の発電部３２は、第３の面３１Ｃと第４の面３１Ｄとに形成されていてもよい。すなわち、第２の発電部３２は、第２の基板３１の振動によって発電できるよう第２の基板３１に形成されていればよい。
【００３２】
第２の発電部３２は、圧電層を電極で挟むように積層されている。言い換えれば、基板から離れる順に、基板に形成された電極と、圧電層と、圧電層に形成された電極となるように配置されている。
【００３３】
なお、第３の面３１Ｃと第４の面３１Ｄとに第２の発電部３２を形成することにより、第２の基板３１の単位面積当たりの電圧を増加できる。
【００３４】
なお、第３の面３１Ｃと第４の面３１Ｄとに第２の発電部を形成する場合、第３の面３１Ｃに形成されている圧電層の分極の極性が、第４の面３１Ｄに形成されている圧電層の分極の極性と逆向きになるように形成するとよい。このように第２の発電部３２を形成することで、第３の面３１Ｃで発生した交流電力と第４の面３１Ｄで発生した交流電力とが干渉することを抑制できる。
【００３５】
第１の発電部２２と第２の発電部３２とを別体に形成することにより、第１の発電部２２と第２の発電部３２とを電気的に独立させている。そのため、第１の発電部２２の発生した交流電力が、第２の発電部３２の発生した交流電力に干渉することを抑制できる。
【００３６】
また、発電装置１００は、第１の発電体２０と第２の発電体３０とをこのように配置することにより、左右方向に細長いような筐体１０であっても発電量のばらつきを抑制できる。また、第１の固定端部２１Ａと第２の固定端部３１Ａとの距離が近い。そのため、筐体１０に対して、第１の方向や第２の方向、第１の面２１Ｃから第２の面２１Ｄへ向かう方向と左方向に直交する方向で振動が発生した場合において、第１の自由端部２１Ｂと第２の自由端部３１Ｂとの振動を始めるタイミングのずれを抑制できる。
【００３７】
第１の固定端部２１Ａと第２の固定端部３１Ａとの関係について説明する。なお、説明の理解を助けるために、第１の基板２１の「第１の面２１Ｃから第２の面２１Ｄへ向かう方向」を「上下方向」と称する。そして、「上下方向と左方向に直交する方向」を「側面方向」と称する。また、側面方向は、左方向に直交し、第１の面に平行な方向でもある。
【００３８】
第１の固定端部２１Ａは、側面方向からみた場合に第２の固定端部３１Ａと重なって配置されている。そのため、第１の発電体２０と第２の発電体３０とを配置するために必要な、左方向または右方向の長さを短くできる。
【００３９】
より具体的に説明する。第１の固定端部２１Ａは、第１の突出部２１Ｅと、第１の電極部２１Ｆとを有している。第１の突出部２１Ｅは、第２の方向に向かって突出している。そのため、第１の突出部２１Ｅは、第２の方向に第１の突出端２１Ｇを有している。第１の電極部２１Ｆは、第１の突出部２１Ｅに形成されている。また、第１の電極部２１Ｆは、第１の発電部２２と電気的に接続されている。つまり、第１の電極部２１Ｆは、第１の発電部２２の発生した交流電力を取りだす。
【００４０】
第２の固定端部３１Ａは、第２の突出部３１Ｅと、第２の電極部３１Ｆとを有している。第２の突出部３１Ｅは、第１の方向に向かって突出している。そのため、第２の突出部３１Ｅは、第１の方向に第２の突出端３１Ｇを有している。第２の突出端３１Ｇは、第１の突出端よりも第１の方向に位置している。第２の電極部３１Ｆは、第２の突出部３１Ｅに形成されている。また、第２の電極部３１Ｆは、第２の発電部３２と電気的に接続されている。つまり、第２の電極部３１Ｆは、第２の発電部３２の発生した交流電力を取り出す。
【００４１】
第１の電極部２１Ｆと第２の電極部３１Ｆとは、電気的に独立している。そのため、第１の発電部２２の発生した交流電力が、第２の発電部３２の発生した交流電力と干渉することを抑制できる。さらに、第１の電極部２１Ｆと第２の電極部３１Ｆとは、第１の電極部２１Ｆと第２の電極部３１Ｆとの距離が近くなるように設けられている。そのため、第１の発電部２２の発電した交流電力と第２の発電部３２の発電した交流電力とを取り出すための配線の接続を容易とすることができる。言い換えれば、第１の電極部２１Ｆや第２の電極部３１Ｆに接続された配線が、第１の基板２１の振動や第２の基板３１の振動を阻害することを抑制できる。
【００４２】
筐体１０について、より詳細に述べる。筐体１０の左右方向の幅は、筐体１０の側面方向の幅よりも広くなっている。言い換えると、側面方向の幅は、左右方向の幅に比べて短い。また、筐体１０は、第１の固定端部２１Ａと第２の固定端部３１Ａとを固定する固定部１１を有する。第１の固定端部２１Ａや第２の固定端部３１Ａは、ネジ７０により、ネジ止めされて固定部１１に固定されている。なお、第１の固定端部２１Ａや第２の固定端部３１Ａは、ネジ止め以外に、たとえば、接着、樹脂モールド、粘着などによって固定部１１に固定されてもよい。また、固定部１１は、筐体１０と一体であってもよく、別体であってもよい。好ましくは、固定部１１は、筐体１０と機械的に繋がっているとよい。
【００４３】
固定部１１は、第１の固定部１１Ａと、第２の固定部１１Ｂとを有する。第１の固定部１１Ａは、第１の固定端部２１Ａを固定している。第２の固定部１１Ｂは、第２の固定端部３１Ａを固定している。そして、第１の固定部１１Ａと第２の固定部１１Ｂとの間には、間隙を設けられている。間隙は、第１の自由端部２１Ｂと第２の自由端部３１Ｂとを左右方向に結んだ線分の中点に位置するように配置されている。これにより、筐体１０と、第１の発電体２０と第２の発電体３０との重心の位置を安定化できる。
【００４４】
そして、第１の突出部２１Ｅは、第１の固定部１１Ａよりも右方向へ突出して間隙と対応する配置されている。第２の突出部３１Ｅは、第２の固定部１１Ｂよりも左方向へ突出して間隙と対応する位置に配置されている。
【００４５】
発電装置１００は、さらに整流部４０を有している。整流部４０は、第１の発電部２２と電気的に接続された第１の整流回路４１と、第２の発電部３２と電気的に接続された第２の整流回路４２とを有している。第１の整流回路４１は、第１の発電部２２の発生した交流電力を直流電力に変換して出力する。第１の整流回路４１から出力された直流電力は、たとえば脈流であってもよく、コンデサやコイルなどを用いて脈流を平滑化してもよい。すなわち、第１の整流回路４１から出力された直流電力は、時間によって方向が変化しなければよい。
【００４６】
第２の整流回路４２は、第２の発電部３２の発生した交流電力を直流電力に変換して出力する。第２の整流回路４２から出力された直流電力は、たとえば脈流であってもよく、コンデサやコイルなどを用いて脈流を平滑化してもよい。すなわち、第２の整流回路４２から出力された直流電力は、時間によって方向が変化しなければよい。
【００４７】
また、第１の整流回路４１から出力された直流電力と、第２の整流回路４２から出力された直流電力とは、同じ方向性を持っている。
【００４８】
そして、整流部４０は、第１の整流回路４１から出力された直流電力と、第２の整流回路４２から出力された直流電力とを合成して出力する。これにより、第１の発電体２０の発生した交流電力が、第２の発電体３０の発生した交流電力と干渉することを抑制しつつ、発電装置１００は、電力を取り出せる。
【００４９】
なお、整流部４０は、筐体１０内に配置されていても良く、筐体１０の外に配置されていてもよい。
【００５０】
以上のように、発電装置１００は構成されている。発電装置１００は、第１の固定端部２１Ａと第２の固定端部３１Ａとを側面方向に重ねて配置したが、上下方向に重ねて配置しても良い。このとき、第１の固定端部２１Ａと第２の固定端部３１Ａとの間で短絡がおきないよう、第１の固定端部２１Ａと第２の固定端部３１Ａとの間に、たとえば、空気や樹脂などの絶縁体を配置するとよい。また、このとき、第１の固定端部２１Ａは、上下方向からみた場合に第２の固定端部３１Ａと重なっているとよい。これにより、第１の発電体２０と第２の発電体３０との要する左右方向の幅を小さくできる。
【００５１】
（センサ内蔵体２００）
図２を参照してセンサ内蔵体２００を説明する。センサ内蔵体２００は、発電装置１００と、装着物とを有する。発電装置１００は、たとえば装着物に収容されている。装着物は、たとえば服、帽子、プロテクタ、靴、手袋、鞄などであり、人に装着される。そして、発電装置１００は、制御部５０などと繋がっている。このような構成とすることにより、発電装置１００を装着物に加わった外力を計測するセンサ６０として用いることができる。センサ６０として用いた場合、第１の発電体２０と第２の発電体３０との干渉を抑制できるため、発電装置１００は、センシング精度を向上できる。
【００５２】
また、制御部５０と電気的に接続されたセンサ６０を別に設けて第１の発電体２０や第２の発電体３０の発生した交流電力を整流部を介して制御部５０へ供給する構成としても良い。すなわち、発電装置１００を電源として用いても良い。この場合、センサ６０は、たとえば、圧力センサや磁歪センサ、加速度センサ、温度センサ、湿度センサなどを用いられる。
【００５３】
装着物が、たとえば靴である場合、発電装置１００は、左右方向の幅が側面方向の幅よりも短いため、土踏まず近傍に配置することができる。
【産業上の利用可能性】
【００５４】
本開示にかかる発電装置は、交流電力同士の干渉を抑制できるという効果を有し、センサや電源等に用いた場合に有用である。
【符号の説明】
【００５５】
１０  筐体
１１  固定部
１１Ａ  第１の固定部
１１Ｂ  第２の固定部
２０  第１の発電体
２１  第１の基板
２１Ａ  第１の固定端部
２１Ｂ  第１の自由端部
２１Ｃ  第１の面
２１Ｄ  第２の面
２１Ｅ  第１の突出部
２１Ｆ  第１の電極部
２１Ｇ  第１の突出端
２２  第１の発電部
３０  第２の発電体
３１  第２の基板
３１Ａ  第２の固定端部
３１Ｂ  第２の自由端部
３１Ｃ  第３の面
３１Ｄ  第４の面
３１Ｅ  第２の突出部
３１Ｆ  第２の電極部
３１Ｇ  第２の突出端
３２  第２の発電部
４０  整流部
４１  第１の整流回路
４２  第２の整流回路
５０  制御部
６０  センサ
７０  ネジ
１００  発電装置
２００  センサ内蔵体
【図１】
2018207507.tif 000003
【図２】
2018207507.tif 000004
【国際調査報告】
2018207507.tif 000005
2018207507.tif 000006
2018207507.tif 000007
2018207507.tif 000008